(57)【要約】【課題】高い内圧での成形により成形部品を製造するための液圧成形プレスに関する。【解決手段】液圧成形プレス（１）の筐体（２）は、収縮によって互いに連結された外側の筒（３）と内側の筒（４）から構成される。内側の筒（４）内には、成形工具（９）の上側の工具（１０）と下側の工具（１１）用の二つの工具支持体（７，８）から成る工具支持体ユニット（６）が嵌め込まれており、成形工具（９）内には、加工物（１３）を成形するための成形室（１２）が有る。工具支持体（７，８）と工具（１０，１１）の間には、それぞれ成形プロセス時に工具を締め付けるためのショートリフトシリンダー（１４，１５）が配置されている。ショートリフトシリンダー（１４，１５）の圧力ピストン（１８，１９）の間及び上側の工具（１０）と下側の工具（１１）の間には、それぞれ圧力ピストン（１８，１９）と工具（１０，１１）に作用する成形室（１２）の内圧を補正するためのプレッシャーパッド（２０，２１）が配置されている。【選択図】  図１
2007196292.tif 000002
【特許請求の範囲】
【請求項１】
互いに嵌合させて、収縮させることにより互いに連結させた外側の筒と内側の筒から成るプレス筐体と、加工物を成形部品に成形するための成形室が中に有り、静圧としての内圧を加えることができる、上側の工具と下側の工具から成る成形工具用のほぼ半張り殻形状の二つの工具支持体から構成される、内側の筒の中に嵌め込まれた工具支持体ユニットとを備えており、そして成形プロセス時に工具を締め付けるための圧力ピストンを備えた、圧力媒体を加えることができる少なくとも一つの上側のショートリフトシリンダーが、上側の工具支持体と上側の工具の間に配置され、そのような少なくとも一つの下側のショートリフトシリンダーが、下側の工具支持体と下側の工具の間に配置されている、高い内圧での成形により成形部品を製造するための液圧成形プレスにおいて、
圧力ピストン（１８，１９）と上側及び下側の工具（１０，１１）に作用する成形室（１２）の内圧を補正するための、上側のショートリフトシリンダー（１４）の圧力ピストン（１８）と上側の工具（１０）との間に配置された、圧力媒体を加えることができる少なくとも一つのプレッシャーパッド（２０）と、下側のショートリフトシリンダー（１５）の圧力ピストン（１９）と下側の工具（１１）との間に配置された、圧力媒体を加えることができる少なくとも一つのプレッシャーパッド（２１）とを特徴とする液圧成形プレス。
【請求項２】
プレッシャーパッド（２０，２１）が、上側及び下側のショートリフトシリンダー（１４，１５）の圧力ピストン（１８，１９）と、上側の工具（１０）及び下側の工具（１１）とのどちらか一方又は両方に統合されていることを特徴とする請求項１に記載の液圧成形プレス。
【請求項３】
成形室（１２）の内圧に従って、プレッシャーパッド（２０，２１）に加える圧力媒体の圧力を制御することが可能であることを特徴とする請求項１又は２に記載の液圧成形プレス。
【発明の詳細な説明】
【技術分野】
【０００１】
この発明は、互いに嵌合させて、収縮させることにより互いに連結させた外側の筒と内側の筒から成るプレス筐体と、加工物を成形部品に成形するための成形室が中に有り、静圧としての内圧を加えることができる、上側の工具と下側の工具から成る成形工具用のほぼ半張り殻形状の二つの工具支持体から構成される、内側の筒の中に嵌め込まれた工具支持体ユニットとを備えており、そして成形プロセス時に工具を締め付けるための圧力ピストンを備えた、圧力媒体を加えることができる少なくとも一つの上側のショートリフトシリンダーが、上側の工具支持体と上側の工具の間に配置され、そのような少なくとも一つの下側のショートリフトシリンダーが、下側の工具支持体と下側の工具の間に配置されている、高い内圧での成形により成形部品を製造するための液圧成形プレスに関する。
【背景技術】
【０００２】
この種の特許文献１に記載された液圧成形プレスでは、成形室内の圧力媒体の静圧としての内圧による成形プロセスの際に、圧力媒体を加えることができる、成形プロセス時に工具を締め付けるためのショートリフトシリンダーの圧力ピストンにおける変形、特に、撓みが生じることが避けられない。ショートリフトシリンダーの圧力ピストンの変形と同時に、成形工具の上側と下側の工具の変形、特に、撓みが生じ、その結果、製造された成形部品の寸法が不正確となる。
【特許文献１】ドイツ特許第１０３３４６６０号明細書
【発明の開示】
【発明が解決しようとする課題】
【０００３】
この発明の課題は、成形工具の上側及び下側の工具と成形プロセス時に工具を締め付けるためのショートリフトシリンダーの圧力ピストンとの変形を防止する形で、この種の液圧成形プレスの構造を改良することである。
【課題を解決するための手段】
【０００４】
この課題は、この発明にもとづき、請求項１の特徴を持つ液圧成形プレスによって解決される。
【０００５】
従属請求項は、この発明の有利で目的に適った改善構成を示している。
【０００６】
この発明の技術思想は、液圧成形プレスの工具と筐体に作用する、加工物を成形するための液体の媒体の動作圧力を補正して、それにより液圧成形プレスの変形を生じさせる曲げ応力を解消することをベースとしている。成形用媒体の動作圧力の補正は、対抗するプリストレスを内側の筒に生じさせるために外側の筒を収縮成形させた、互いに嵌合させた二つの筒から成るプレス筐体によって、更に、上側の工具と下側の工具から成る成形工具を使用し、上側の工具とプレス筐体の内側の筒内に嵌め込まれた半張り殻形状の上側の工具支持体との間、及び下側の工具とプレス筐体の内側の筒内に嵌め込まれた半張り殻形状の下側の工具支持体との間に、それぞれ圧力媒体を加えることができる、成形プロセス時に上側の工具と下側の工具に作用する締め付け力を加えるとともに、上側と下側の工具に作用する成形用媒体の動作圧力に対抗する圧力を生じさせるための圧力ピストンを備えたショートリフトシリンダーを配置することによって、そして一方の上側及び下側のショートリフトシリンダーの圧力ピストンと他方の上側及び下側の工具との間に、圧力媒体を加えることができるプレッシャーパッドを配置することによって実現される。
【発明を実施するための最良の形態】
【０００７】
以下において、横断面図にもとづき、この発明による液圧成形プレスを説明する。
【０００８】
図面に図示した高い内圧での成形により成形部品を製造するための液圧成形プレス１の筐体２は、外側の筒３と内側の筒４から構成される。内側の筒４の空洞５内には、成形部品を交換するために、筐体２から取り出すことができる工具支持体ユニット６が嵌め込まれている。
【０００９】
工具支持体ユニット６は、上側の工具１０と下側の工具１１から成る成形工具９用のほぼ半張り殻形状の二つの工具支持体７，８から構成されており、これらの工具内には、静圧としての内圧を加えることができる、加工物１３を成形部品に成形するための成形室１２が有る。
【００１０】
上側の工具支持体７と上側の工具１０の間及び下側の工具支持体８と下側の工具１１の間には、それぞれ圧力媒体、例えば、オイルを加えることができるショートリフトシリンダー１４，１５が配置されており、それらのショートリフトシリンダーは、成形室１２に対して上側の工具１０と下側の工具１１を締め付けるための、上側の工具支持体７と下側の工具支持体８のシリンダー内径１６，１７内でシフトさせることが可能な圧力ピストン１８，１９を備えており、これらの圧力ピストンには、成形プロセスの際に、圧力媒体、例えば、水又はオイルが加えられる。
【００１１】
上側のショートリフトシリンダー１４の圧力ピストン１８と上側の工具１０の間及び下側のショートリフトシリンダー１５の圧力ピストン１９と下側の工具１１の間には、それぞれ圧力媒体を加えることができるプレッシャーパッド２０，２１が配置されている。
【００１２】
これらのプレッシャーパッド２０，２１は、両方のショートリフトシリンダー１４，１５の圧力ピストン１８，１９と上側及び下側の工具１０，１１とに作用する成形室１２の内圧を補正する役割を果たすとともに、上側と下側の工具１０，１１の曲げ応力を防止している。
【００１３】
プレッシャーパッド２０，２１は、上側と下側のショートリフトシリンダー１４，１５の圧力ピストン１８，１９に統合されるとともに、上側と下側の工具１０，１１に対抗して密閉している。
【００１４】
更に、プレッシャーパッド２０，２１を、上側の工具１０と下側の工具１１に、或いはショートリフトシリンダー１４，１５の圧力ピストン１８，１９と上側及び下側の工具１０，１１のそれぞれに統合する手法も有る。
【００１５】
プレッシャーパッド２０，２１に加える圧力は、成形室１２の内圧に従って制御することが可能である。
【図面の簡単な説明】
【００１６】
【図１】この発明による液圧成形プレスの横断面図
【符号の説明】
【００１７】
１    液圧成形プレス
２    筐体
３    外側の筒
４    内側の筒
５    内側の筒４の空洞
６    工具支持体ユニット
７，８    工具支持体
９    成形工具
１０    上側の工具
１１    下側の工具
１２    成形室
１３    加工物
１４，１５    ショートリフトシリンダー
１６，１７    シリンダー内径
１８，１９    圧力ピストン
２０，２１    プレッシャーパッド
【図１】
2007196292.tif 000003